(57)【要約】【課題】挿通孔へのバンド部の挿通状態が保持された後、バンド部のうち挿通孔から外部へ突き出る突出部分を除去するためにバンド部の切断作業を行った場合に、バンド部の切断端部がヘッド部の内部から外部へ突き出ることを容易に防止できる巻付具を提供する。【解決手段】巻付具が、ヘッド部５とバンド部とを備える。前記ヘッド部が、被覆体３１と、第２挿通孔３２と、支持体３３とを有する。前記被覆体は、ヘッド本体１１から離間しかつ前記ヘッド本体における前記バンド部の挿通方向側の露出端部１６と対向するように設けられる。前記第２挿通孔は、前記ヘッド本体側の第１挿通孔１２と対向するように前記被覆体に設けられ、前記第１挿通孔に挿通された前記バンド部をバンド本体の自由端側から挿通できるように構成される。前記支持体は、前記ヘッド本体に支持され、前記被覆体を前記ヘッド本体の露出端部に接近する方向に弾性変形させ得るように支持する。【選択図】図５
2018087019.tif 000002
【特許請求の範囲】
【請求項１】
ヘッド本体、前記ヘッド本体に設けられた第１挿通孔、および、前記ヘッド本体に設けられた係止部を有するヘッド部と、
前記ヘッド本体に連結された連結端部と自由端とを含むバンド本体、および、前記連結端部と前記自由端との間に位置するように前記バンド本体に設けられた被係止部を有するバンド部とを備え、
前記バンド部を前記バンド本体の自由端側から前記ヘッド部の第１挿通孔に挿通できるとともに、前記第１挿通孔への前記バンド部の挿通状態を保持すべく前記バンド部の被係止部を前記ヘッド部の係止部に係止できるように構成された巻付具であって、
前記ヘッド部が、
前記ヘッド本体から離間しかつ前記ヘッド本体における前記バンド部の挿通方向側の露出端部と対向するように設けられた被覆体と、
前記第１挿通孔と対向するように前記被覆体に設けられ、前記第１挿通孔に挿通された前記バンド部を前記バンド本体の自由端側から挿通できるように構成された第２挿通孔と、
前記ヘッド本体に支持されるとともに、前記被覆体を前記ヘッド本体の露出端部に接近する方向に弾性変形させ得るように支持する支持体とを有する、巻付具。
【請求項２】
前記被覆体は、その一部が前記ヘッド本体の露出端部に当たるまで弾性変形し得るように前記支持体に支持される、請求項１に記載の巻付具。
【請求項３】
前記第２挿通孔は、前記第１挿通孔の孔面積よりも大きい孔面積を有する、請求項１または請求項２に記載の巻付具。
【発明の詳細な説明】
【技術分野】
【０００１】
本発明は、巻付具に関する。
【背景技術】
【０００２】
巻付具としては、例えば特許文献１の図１０に記載されたような結束バンドが知られている。この種の巻付具は、被巻付体に対して使用され得るものであり、被巻付体に巻き付くことができるとともに、前記被巻付体への巻付状態を保持できるように構成されている。前記被巻付体の具体例としは、複数のワイヤーハーネスが挙げられる。
【０００３】
前記巻付具には、ヘッド部とバンド部とが備えられている。前記ヘッド部は、ヘッド本体、前記ヘッド本体に設けられた挿通孔、および、前記ヘッド本体に設けられた係止部を有している。前記バンド部は、前記ヘッド本体に連結された連結端部と自由端とを含むバンド本体、および、前記連結端部と前記自由端との間に位置するように前記バンド本体に設けられた被係止部を有している。
【０００４】
そしてこの巻付具が、被巻付体に対する使用のために、前記バンド部を前記バンド本体の自由端側から前記ヘッド部の第１挿通孔に挿通できるように構成されている。さらに、前記巻付具が、前記第１挿通孔への前記バンド部の挿通状態を保持すべく、前記バンド部の被係止部を前記ヘッド部の係止部に係止できるように構成されている。
【先行技術文献】
【特許文献】
【０００５】
【特許文献１】特開２００３−２１２２０４号公報
【発明の概要】
【発明が解決しようとする課題】
【０００６】
巻付具の使用に際して挿通孔へのバンド部の挿通状態が保持された場合、前記バンド部においてはヘッド部（前記挿通孔）の内部から外部へ突き出る突出部分が発生する。この突出部分については、周囲の人にとって邪魔になる等の不都合な事態を回避するため、バンド部から切断により除去することがある。一般的に、この突出部分の除去には、切断刃を備えた所定の切断用工具を用いる。
【０００７】
そして、切断後に前記ヘッド部側に残る前記バンド部の切断端部が前記挿通孔から外部へできるだけ突き出ないように、前記切断用工具の切断刃を前記ヘッド部に近接させた状態で前記バンド部の切断を行う。しかしながら、前記切断刃が所定の厚みを有するので、単に切断作業を行うだけでは、前記バンド部の切断端部が前記挿通孔から外部へ突き出ないようにすることは非常に困難であった。
【０００８】
よって、前記不都合な事態を回避できないおそれがあった。本発明は、このような事情に鑑みてなされたものであり、挿通孔へのバンド部の挿通状態が保持された後、バンド部のうち挿通孔から外部へ突き出る突出部分を除去するためにバンド部の切断作業を行った場合に、バンド部の切断端部がヘッド部の内部から外部へ突き出ることを容易に防止できる巻付具の提供を目的とする。
【課題を解決するための手段】
【０００９】
本発明は、
ヘッド本体、前記ヘッド本体に設けられた第１挿通孔、および、前記ヘッド本体に設けられた係止部を有するヘッド部と、
前記ヘッド本体に連結された連結端部と自由端とを含むバンド本体、および、前記連結端部と前記自由端との間に位置するように前記バンド本体に設けられた被係止部を有するバンド部とを備え、
前記バンド部を前記バンド本体の自由端側から前記ヘッド部の第１挿通孔に挿通できるとともに、前記第１挿通孔への前記バンド部の挿通状態を保持すべく前記バンド部の被係止部を前記ヘッド部の係止部に係止できるように構成された巻付具であって、
前記ヘッド部が、
前記ヘッド本体から離間しかつ前記ヘッド本体における前記バンド部の挿通方向側の露出端部と対向するように設けられた被覆体と、
前記第１挿通孔と対向するように前記被覆体に設けられ、前記第１挿通孔に挿通された前記バンド部を前記バンド本体の自由端側から挿通できるように構成された第２挿通孔と、
前記ヘッド本体に支持されるとともに、前記被覆体を前記ヘッド本体の露出端部に接近する方向に弾性変形させ得るように支持する支持体とを有するものである。
【００１０】
この構成によれば、前記第１挿通孔への前記バンド部の挿通状態が保持された後、前記バンド部のうち前記第２挿通孔から外部へ突き出る突出部分を除去するために前記バンド部の切断作業を行った場合、この切断作業により生じた前記バンド部の切断端部を前記第２挿通孔の内部に収めることができる。
【００１１】
したがって、前記被巻付体に対して前記巻付具を使用するとき、前記バンド部の切断作業を行うだけであっても、前記バンド部の切断端部が前記第２挿通孔の内部から外部へ突き出る状態を回避できる。よって、この際に前記バンド部の切断端部がヘッド部の内部から外部へ突き出ることを容易に防止できる。
【００１２】
本発明の別の態様によれば、
前記被覆体は、その一部が前記ヘッド本体の露出端部に当たるまで弾性変形し得るように前記支持体に支持される。
【００１３】
本発明の更なる態様によれば、
前記第２挿通孔は、前記第１挿通孔の孔面積よりも大きい孔面積を有する。
【発明の効果】
【００１４】
本発明によれば、挿通孔へのバンド部の挿通状態が保持された後、バンド部のうち挿通孔から外部へ突き出る突出部分を除去するためにバンド部の切断作業を行った場合に、バンド部の切断端部がヘッド部の内部から外部へ突き出ることを容易に防止できる巻付具を提供できる。
【図面の簡単な説明】
【００１５】
【図１】本発明の一実施形態に係る巻付具の使用状態の一例を示す図である。
【図２】図１の巻付具の正面図である。
【図３】図１の巻付具の平面図である。
【図４】図１の巻付具の底面図である。
【図５】図１の巻付具におけるヘッド部の正面図である。
【図６】図５のヘッド部の正面断面図である。
【図７】図５のヘッド部の平面図である。
【図８】図５のヘッド部の側面図である。
【図９】本発明の別の実施形態に係る巻付具におけるヘッド部の正面図である。
【図１０】図１の巻付具の使用時における切断作業前のヘッド部の状態を示す図である。
【図１１】図１の巻付具の使用時における切断作業途中のヘッド部の状態を示す図である。
【図１２】図１の巻付具の使用時における切断作業後におけるヘッド部の状態を示す図である。
【発明を実施するための形態】
【００１６】
本発明の一実施形態について図面を参照しつつ説明する。
【００１７】
図１は、本発明の一実施形態に係る巻付具１の使用状態の一例を示す図である。
【００１８】
図１に示すように、巻付具１は、被巻付体２に対して使用されるものである。被巻付体２の具体例としては、複数のワイヤーハーネスまたは少なくとも１本の配管が挙げられる。巻付具１の具体例としては、被巻付体である複数のワイヤーハーネスを束ねるために用いられる結束バンドが挙げられる。
【００１９】
巻付具１は、被巻付体２への使用のために、被巻付体２に巻き付くことができるように構成されている。巻付具１は、また、被巻付体２への巻付状態を保持できるように構成されている。本実施形態において、巻付具１は、ナイロン等の合成樹脂の一体成形品である。
【００２０】
図２は、巻付具１の正面図である。図３は、巻付具１の平面図である。図４は、巻付具１の底面図である。図５は、巻付具１におけるヘッド部５の正面図である。図６は、ヘッド部５の正面断面図である。図７は、ヘッド部５の平面図である。図８は、反バンド部６側（図２の左側）から見たヘッド部５の側面図である。
【００２１】
本実施形態において、巻付具１は、次のように構成されている。すなわち、図１、図２、図３および図４に示すように、巻付具１に、ヘッド部５と、バンド部６とが備えられている。
【００２２】
ヘッド部５は、図５、図６、図７および図８にも示すように、ヘッド本体１１と、第１挿通孔１２と、係止部１３とを有している。第１挿通孔１２は、ヘッド本体１１に設けられている。これにより、ヘッド本体１１が筒状を呈するものとなっている。係止部１３は、ヘッド本体１１に設けられている。
【００２３】
バンド部６は、バンド本体２１と、被係止部２２とを有している。バンド本体２１は、ヘッド本体１１に連結された連結端部２５と自由端２６とを含んでいる。被係止部２２は、連結端部２５と自由端２６との間に位置するように、バンド本体２１に設けられている。
【００２４】
そして、巻付具１が、バンド部６をバンド本体２１の自由端２６側からヘッド部５の第１挿通孔１２に挿通できるように構成されている。巻付具１が、第１挿通孔１２へのバンド部６の挿通状態を保持すべく、バンド部６の被係止部２２をヘッド部５の係止部１３に係止できるように構成されている。
【００２５】
詳しくは、バンド部６において、バンド本体２１は、可撓性を有する長尺状の部材である。バンド部６は、連結端部２５を介してヘッド部５と連続するように構成されている。連結端部２５は、バンド本体２１の長手方向一端側に設けられている。自由端２６は、バンド本体２１の長手方向他端側に設けられている。
【００２６】
被係止部２２は、鋸歯状に形成されている。被係止部２２は、バンド本体２１の長手方向に配列された少なくとも２つの歯を含み、バンド本体２１の底面側に配置されている。被係止部２２は、バンド部６がヘッド部５の第１挿通孔１２に挿通されたとき、ヘッド部５の係止部１３に係止され得る。
【００２７】
被係止部２２が係止部１３に係止された場合、バンド部６の挿通方向（図６の矢印２８方向）への移動のみが許容される。すなわち、この場合、係止部１３と被係止部２２との係止により、バンド部６の反挿通方向（図６の矢印２９方向）への移動は阻止される。
【００２８】
ヘッド部５において、ヘッド本体１１は、筒状かつ四角錐台状（四角錐の頂点側（頭部）を底面に平行な面で水平に切削した形状）の部材である。ヘッド本体１１は、一側部の底端部１５側でバンド部６の連結端部２５と連結されている。第１挿通孔１２は、ヘッド本体１１の中央部にその高さ方向に貫設されている。
【００２９】
第１挿通孔１２は、バンド部６（バンド本体２１）をヘッド本体１１の高さ方向に挿通させることができるように形成されている。係止部１３は、被係止部２２のいずれかの歯と係合可能な爪部を有している。係止部１３は、第１挿通孔１２に臨むようにヘッド本体１１の内側に配置されいてる。
【００３０】
係止部１３は、第１挿通孔１２から離間する方向に弾性変形し得るようにヘッド本体１１に支持されている。係止部１３は、バンド部６の挿通方向への移動時に第１挿通孔１２に挿通されたバンド部６に押されるために弾性変形し、バンド部６が停止したときに被係止部２２を係止するように元の通常形態に復帰する。
【００３１】
そのうえで、巻付具１においては、ヘッド部５に、被覆体３１と、第２挿通孔３２と、支持体３３とが更に備えられている。被覆体３１は、ヘッド本体１１から離間しかつヘッド本体１１におけるバンド部６の挿通方向側の露出端部（頂端部）１６と対向するように設けられている。第２挿通孔３２は、第１挿通孔１２と対向するように被覆体３１に設けられている。
【００３２】
第２挿通孔３２は、また、第１挿通孔１２に挿通されたバンド部６をバンド本体２１の自由端２６側から挿通できるように構成されている。支持体３３は、ヘッド本体１１に支持されるとともに、ヘッド本体１１の頂端部１６に接近する方向に被覆体３１を弾性変形させ得るように支持するようになっている。
【００３３】
詳しくは、図５、図６、図７および図８に示すように、被覆体３１は、所定の厚みを有する平板状の部材である。被覆体３１は、ヘッド本体１１に対してバンド部６の挿通方向側（図５の上側）に所定の距離を隔てて並置されている。被覆体３１の頂端部３５は、略全体にわたって略平坦に形成されている。
【００３４】
被覆体３１の底端部３６は、略全体にわたって略平坦に形成されている。そして、被覆体３１の底端部３６は、ヘッド本体１１の頂端部１６と隣り合う状態で、被覆体３１の一端部３７側が他端部３８側よりもヘッド本体１１の頂端部１６よりも離間するように、頂端部３５に対して傾斜している。
【００３５】
言い換えれば、被覆体３１において、一端部３７側の厚み（バンド部６の挿通方向の幅）が、他端部３８側の厚み（バンド部６の挿通方向の幅）よりも大きく設定されている。なお、後述するように、被覆体３１は、他端部３８側を支点として弾性変形するようになっている。
【００３６】
本実施形態において、被覆体３１は、その一部（一端部３７）がヘッド本体１１の頂端部１６に当たるまで弾性変形し得るように、支持体３３に支持されている。被覆体３１は、バンド部６の挿通方向に対して、通常時には略直交する方向に延在し（図１０参照）、弾性変形時には傾斜する方向に延在する（図１１参照）。
【００３７】
こうして、被覆体３１の底端部３６とヘッド本体１１の頂端部１６の間に、空間４１が形成されるようになっている。空間４１は、通常時、ヘッド部５の一側部側を除いて外部に開口している。本実施形態において、空間４１は、被覆体３１の弾性変形時、ヘッド部５の一側部側と反対側（反バンド部６側）を閉塞する。
【００３８】
被覆体３１は、また、バンド部６の挿通方向と直交する方向に関して、ヘッド本体１１よりも小さくなるように構成されている。そして、被覆体３１は、バンド部６の挿通方向と直交する方向に関して、被覆体３１の頂端部３５側が底端部３６側よりも小さくなるように構成されている。
【００３９】
第２挿通孔３２は、被覆体３１の中央部にその厚み方向に貫設されている。第２挿通孔３２は、第１挿通孔１２に挿通されたバンド部６（バンド本体２１）を被覆体３１の厚み方向に挿通させることができるように形成されている。第２挿通孔３２は、第１挿通孔１２と空間４１を介して連通されている。
【００４０】
第２挿通孔３２は、第１挿通孔１２と略同じ方向に延在しかつ同一の直線上に位置するように設けられている。本実施形態において、第２挿通孔３２は、第１挿通孔１２の孔面積よりも大きい孔面積を有している。第２挿通孔３２の縁は、反バンド部６側で第１挿通孔１２の縁と揃えられている（図５および図６参照）。
【００４１】
第２挿通孔３２の孔面積は、バンド本体２１を挿通させ得るように、延在方向（被覆体３１の厚み方向）に関して略一定に設定されている。これに対し、第１挿通孔１２の孔面積は、バンド本体２１を略隙間なく挿通させ得るように、延在方向（ヘッド本体１１の高さ方向）に関して略一定に設定されている。
【００４２】
支持体３３は、ヘッド本体１１と被覆体３１との間に設けられている。支持体３３は、ヘッド本体１１の頂端部１６のバンド部６側にバンド部６の挿通方向側へ突出するように設けられている。これにより、ヘッド部５が、空間４１を形成するための切欠部を備えた四角錐台状を呈するようになっている。
【００４３】
支持体３３は、バンド部６の挿通方向と略直交する方向に関して、被覆体３１に対してバンド部６側に位置するように、被覆体３１と並置されている。支持体３３は、また、バンド部６の挿通方向と略直交する方向に関して、空間４１に対してバンド部６側に位置するように、空間４１と並置されている。
【００４４】
なお、本発明における被覆体３１と支持体３３の位置関係は、これに限定されるものではなく、例えば図９に示すようにバンド部６に対して逆向きに並置される（支持体３３が被覆体３１に対して反バンド部６側に位置する）ものであってもよい。
【００４５】
そして、支持体３３は、その突出基端部４５側でヘッド本体１１の頂端部１６に連結されている。支持体３３は、その突出先端部４６側で被覆体３１の他端部３８と連結されている。これにより、被覆体３１が、弾性変形時に支持体３３による被覆体３１の支持部分付近を支点として回動し得るようになっている。
【００４６】
以上のような構成の巻付具１を被巻付体２に対して使用する場合、まず、バンド部６（バンド本体２１）を被巻付体２に沿って曲げつつ、バンド部６により被巻付体２を全周にわたって巻回する。次に、バンド本体２１を自由端２６側からヘッド部５の第１挿通孔１２の片側（底端部１５側）に差し込む。
【００４７】
次に、バンド本体２１の自由端２６を第１挿通孔１２の他側（頂端部１６側）から空間４１に引き出す。次に、バンド本体２１を自由端２６側から第２挿通孔３２の片側（底端部３６側）に差し込む。次に、バンド本体２１の自由端２６を第２挿通孔３２の他側（頂端部３５側）から外部に引き出す。
【００４８】
次に、バンド本体２１が被巻付体２を適度に締め付けるまで、バンド本体２１の自由端２６を引き出しつづけて、バンド本体２１を挿通方向（図１０の矢印２８方向）に移動させる。バンド本体２１が被巻付体２を適度に締め付けていることが確認できれば、図１０に示すように、バンド本体２１を停止させる。
【００４９】
この際には、係止部１３が被係止部２２を係止することとなる。したがって、バンド部６が被巻付体２を適度に締め付けた状態が保持されることとなる。また、バンド部６を、第１挿通孔１２ひいては第２挿通孔３２からバンド部６の反挿通方向（図１０の矢印２９方向）に引き抜くことができなくなる。
【００５０】
こうして、バンド部６をヘッド部５に対して任意の箇所で留めて、巻付具１を被巻付体２に巻き付けた状態を実現できる。この状態では、図１０に示すように、バンド部６のうち少なくとも自由端２６近傍を含む部分がヘッド部５（第２挿通孔３２）の内部から外部へ突き出る突出部分（余剰部分）５０として残る。
【００５１】
そこで次に、余剰部分５０を除去するためにバンド部６の切断を行う。具体的には、図１１に示すように、切断用工具の切断刃５３を被覆体３１にバンド部６の挿通方向側から押し当てる。被覆体３１の一端部３７がヘッド本体１１の頂端部１６に接近するように、他端部３８側を支点として被覆体３１を回動させる。
【００５２】
この際、切断刃５３により被覆体３１に外力を加える。本実施形態においては、被覆体３１の一端部３７がヘッド本体１１の頂端部１６に当たるまで被覆体３１を弾性変形させる。これにより、被覆体３１の頂端部３５を、図１０に示す通常位置よりもヘッド本体１１側（バンド部８の反挿通方向側）に移動させる。
【００５３】
被覆体３１の頂端部３５のうちバンド部６を囲む部位が通常位置よりもヘッド本体１１側に移動すれば、切断刃５３をバンド部６に切断位置５４で挿通方向に対して斜めに作用させる。結果、バンド部６の余剰部分５０が、被覆体３１の弾性変形に応じた分だけ増量した状態でバンド部６から除去されることとなる。
【００５４】
その後、切断刃５３を被覆体３１から離す。これにより、被覆体３１が図１０に示すような元の通常形態に復帰する。したがって、図１２に示すように、バンド部６の切断端部５５が、第２挿通孔３２の内部から外部へ突き出ないように被覆体３１により被覆されることとなる。
【００５５】
つまり、第１挿通孔１２へのバンド部６の挿通状態が保持された後、バンド部６のうち第２挿通孔３２から外部へ突き出る余剰部分５０を除去するためにバンド部６の切断作業を行った場合、この切断作業により生じたバンド部６の切断端部５５を第２挿通孔３２の内部に収めることができる。
【００５６】
したがって、被巻付体２に対して巻付具１を使用するとき、バンド部６の切断作業を行うだけであっても、バンド部６の切断端部５５が第２挿通孔３２の内部から外部へ突き出る状態を回避できる。よって、この際にバンド部６の切断端部５５がヘッド部５の内部から外部へ突き出ることを容易に防止できる。
【００５７】
また、本実施形態においては、被覆体３１はその一部がヘッド本体１１の頂端部１６に当たるまで弾性変形し得るように支持体３３に支持されているので、被覆体３１が支持体３３に支えられた状態でバンド部６の切断作業を行うことが可能となる。したがって、バンド部６を安定して切断できる。
【００５８】
また、本実施形態においては、第２挿通孔３２は第１挿通孔１２の孔面積よりも大きい孔面積を有しているので、バンド部６の切断作業時、被覆体３１の弾性変形に応じてバンド部６が第２挿通孔３２の周縁部より曲げられる変形の発生を防止できる。よって、バンド部６に対する切断性能の低下を抑制できる。
【００５９】
なお、上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００６０】
１    巻付具
５    ヘッド部
６    バンド部
１１  ヘッド本体
１２  第１挿通孔
１３  係止部
１６  頂端部（露出端部）
２１  バンド本体
２２  被係止部
２５  連結端部
２６  自由端
３１  被覆体
３２  第２挿通孔
３３  支持体
【図１】
2018087019.tif 000003
【図２】
2018087019.tif 000004
【図３】
2018087019.tif 000005
【図４】
2018087019.tif 000006
【図５】
2018087019.tif 000007
【図６】
2018087019.tif 000008
【図７】
2018087019.tif 000009
【図８】
2018087019.tif 000010
【図９】
2018087019.tif 000011
【図１０】
2018087019.tif 000012
【図１１】
2018087019.tif 000013
【図１２】
2018087019.tif 000014